(57)【要約】【課題】管状ランプを支持するために反射板上に設けられたランプホルダの基台部分が液晶パネル上に影として映し出されないようにした液晶表示装置を提供する。【解決手段】液晶パネル２を背面から照射する照明装置１４は、その照明用の複数の管状ランプ７を保持するためのランプホルダ１５を備え、該ランプホルダ１５は管状ランプ７の長手方向と直交する方向に延在する基台１６に傾斜面１９を有する。この傾斜面１９は管状ランプ７の長手方向に直交し液晶パネル２に向かって傾斜して形成され、管状ランプからの光を液晶パネル２の方向に反射させ、液晶パネル２上に基台１６の影を映し出すことがない。【選択図】      図６
2005017691.tif 000002
【特許請求の範囲】
【請求項１】
液晶パネルの裏面側において該液晶パネルと平行に設けられた反射板と、該反射板上に互いに平行に配置した複数の管状ランプとを備えてなる液晶表示装置において、
前記管状ランプの長手方向に対して直交する方向に延在する基台を有し、隣接する管状ランプを把持する把持部を該基台上に設けると共に、前記管状ランプの長手方向と直交する方向に延在して前記液晶パネル方向に向かって凸部を形成する傾斜面を該基台上に設けてなるランプホルダを備えることを特徴とする液晶表示装置。
【請求項２】
前記反射板には、隣接する前記管状ランプの略中間位置において該管状ランプの長手方向に伸びる断面三角形状の反射体が形成され、
前記ランプホルダは、前記基台の略中間位置に該反射体と係合する係合部が形成され、前記基台の底面から前記傾斜面の頂点までの高さが前記反射体の頂点までの高さよりも低いことを特徴とする請求項１に記載の液晶表示装置。
【請求項３】
前記係合部は、前記反射体の内部において該反射体と係合していることを特徴とする請求項２記載の液晶表示装置。
【発明の詳細な説明】
【発明の属する技術分野】
本発明は、液晶パネルを表示面と対向する裏面側から照明する液晶表示装置に関し、特に薄型の液晶表示装置に適用した場合に好適な液晶表示装置に関する。
【従来の技術】
従来この種の液晶表示装置は、適用される液晶表示装置が表示画面の大きさに対して薄型であるため、その光源には蛍光管のような管状ランプが用いられている。また、蛍光管は管内径が小さい程発光効率が高いため、細管化が望まれている。
特に、大型な液晶表示装置は、直下型の液晶表示装置が適用され多数の蛍光管が平行して配置されている。このような構成の液晶表示装置は従来から図８〜図１２に示すものが知られている。
図８は液晶パネルと拡散板を除いた状態における液晶表示装置の正面図であり、図９は液晶表示装置の一部の縦断面図である。図８および図９において、液晶表示装置１は液晶パネル２、拡散板３、照明装置４及びこれらを積重ねて組み込むための枠体５から構成されている。
照明装置４は、枠体５に取り付けられた反射板６と、反射板６の前面に配された複数の管状ランプ７とから構成されている。複数の管状ランプ７は、例えば蛍光管からなりその両端において枠体５に取り付けられている。また、管状ランプ７は長く細いので反射板６上に配置されたランプホルダ８によって支持されている。
反射板６上の管状ランプ７の間においては、管状ランプ７と平行に反射体９が設けられている。この反射体９は液晶パネル２の方向に照射光を反射させるための断面が三角形の反射面からなっている。一方、反射体９の一部には、拡散板３との間隔を一定に保つための突起１０が設けられている。
図１０はランプホルダ８を拡大して示す斜視図であって、ランプホルダ８は、平板状の基台１１と、基台１１の両端に設けられた管状ランプ７を把持する把持部１２とから構成されている。基台１１は中間に反射板６上に形成した反射体９と係合する係合部１３を有する。把持部１２は上方が切り欠かれた半リング状であって可撓性を有する。
図１１はランプホルダ８による管状ランプ７の支持状態を拡大して示す斜視図である。ランプホルダ８は基台１１が管状ランプ７の長手方向に直交する方向に延在され、その中間の係合部１３において反射体９に係合されて反射板６上に配置される。そして、夫々の半リング状の把持部１２に管状ランプ７を挿入し、把持部１２が管状ランプ７を把持して支持するようになっている。
図１２は図１１における基台１１部分をＡ―Ａ線で切断した断面図である。基台１１はその断面が長方形となっており、反射板６上に配置されている。この配置に当たっては、例えば基台１１を反射板６にビスによって一体に固定する方法がとられている。
このような従来の照明装置４においては、管状ランプ７を点灯し拡散板３を介して液晶パネル２を背面から照射すると、管状ランプ７の光量は把持部１２の部分において若干低下する。この結果、ランプホルダ８の基台１１部分が暗くなり、液晶パネル２上に基台１１の形状がほのかな影として観察されるようになる。そのため、液晶表示装置１は画像の表示としての品質が低下してしまう。
このような品質低下の防止策として、従来は、例えば特許文献１に示す技術が提案されている。
この特許文献１に開示された従来技術は、ランプホルダ自体を透明のアクリル材で作成し、液晶パネル面の輝度低下や輝度ムラへの影響を防ぐものである。しかし、ランプホルダを透明な材料で作成しても、ランプホルダによる僅かな光量への影響が生じる。このような光量への影響は、その量が僅かであっても液晶パネル上に部分的な輝度低下、輝度ムラを生じてしまう。
まして、総ての管状ランプを一体的に保持するようなインライン型ランプホルダを使用した場合は、組み立て作業としては簡略化されるが、ランプホルダによる僅かな光量への影響が部分的に集中することで、輝度低下や輝度ムラを生じる。
そこで、この影響を部分的に集中させないようにするため、上記特許文献１に開示されたバックライト装置においては、ランプホルダの取り付け位置を蛍光管の長手方向に対し隣接位置で重ならないように配置している。この配置の具体的な例として、蛍光管の並び方向に対し千鳥状に配置したものが提案されている。
上述したように液晶表示装置は背面からの照明に僅かではあっても輝度低下、輝度ムラがあると、表示装置としての品質が低下してしまうので、従来は種々の対策が施されていた。
【特許文献１】
特開２００１−２１０１２６号公報
【発明が解決しようとする課題】
しかしながら、従来においてはランプホルダの材料を透明なもので形成しても、ランプ把持部による僅かな光量の低下が生じ、液晶表示パネル上にランプホルダの基台がほのかな影として観察されてしまうため、ランプホルダの配置を千鳥状にするなど考慮して照明装置を組み立てていた。そのため、従来は一つのランプホルダで２管以上の蛍光灯をインラインで支持する方法を積極的に採用することが困難であった。
従って、照明装置の組み立てを簡単に素早く行うことができず作業効率が低下するという問題点があった。また、長くて細い管状ランプを多数のランプホルダで強固に支持したい場合にはランプホルダの配置個所や個数に制約が生じてしまうことがあった。
そこで、本発明は、上記問題点に鑑みなされたものであり、液晶パネル上にランプホルダの影が生じることのないような構成の液晶表示装置を提供することを目的とする。
【課題を解決するための手段】
本発明の上記目的は以下の構成によって達成できる。すなわち、本発明の請求項１による液晶表示装置は、液晶パネルの裏面側において該液晶パネルと平行に設けられた反射板と、該反射板上に互いに平行に配置した複数の管状ランプとを備えてなる液晶表示装置において、前記管状ランプの長手方向に対して直交する方向に延在する基台を有し、隣接する管状ランプを把持する把持部を該基台上に設けると共に、前記管状ランプの長手方向と直交する方向に延在して前記液晶パネル方向に向かって凸部を形成する傾斜面を該基台上に設けてなるランプホルダを備えることを特徴とする。
かかる構成となすことによって、前記ランプホルダは、前記基台上に設けた傾斜面によって、把持部によって管状ランプが把持された部分の両サイドから該基台に照射される照射光を液晶パネルに向けて反射させるので、液晶パネル側から見て前記基台の影が生じることがなく、簡単な構成で液晶パネル面の全体にわたって輝度の低下部分がなく、表示品質の良好な液晶表示装置を提供できる。
また、前記反射板には、隣接する前記管状ランプの略中間位置において該管状ランプの長手方向に伸びる断面三角形状の反射体が形成され、前記ランプホルダは、前記基台の略中間位置に該反射体と係合する係合部が形成され、前記基台の底面から前記傾斜面の頂点までの高さが記反射体の頂点までの高さよりも低いことが好ましく、また、前記係合部は、前記反射体の内部において該反射体と係合していることが好ましい。
【発明の実施の形態】
以下、本発明の実施の形態の一例について図面を参照して説明する。図１は本発明の実施の形態の一例が適用された液晶表示装置において液晶パネルと拡散板を取り除いた平面図、図２は本発明の実施の形態の一例が適用された液晶表示装置の一部の縦断面図、図３は図１、図２におけるランプホルダを拡大して示した斜視図、図４は同じく図１、図２におけるランプホルダを拡大して示した平面図、図５は同じく図１、図２におけるランプホルダを拡大して示した正面図、図６は同じく図１、図２におけるランプホルダによる管状ランプの支持状態を部分的に拡大して示した斜視図、図７は図６における基台部分をＢ−Ｂ線で切断した断面図である。
尚、図１〜図７で示す従来装置と同一部分は、説明の便宜上同一符号を付しその説明を省略する。
図１、図２において、液晶表示装置１４は、複数の管状ランプ７が適宜の個所でランプホルダ１５により反射板６上に支持されている。このランプホルダ１５の配置に当たっては、例えばランプホルダ１５の基台１６を反射板６にビスなどによって一体に固定する方法がとられている。
図３、図４及び図５においてランプホルダ１５を拡大して示すが、このランプホルダ１５は、基台１６と、基台１６の両端に設けられた管状ランプ７を把持する把持部１７とから構成されている。基台１６は略中間位置において、反射板６上に形成した反射体９と係合する係合部１８を有する。この係合部１８は反射体９の内部において係合するため、係合部１８での光への影響は抑えられる。把持部１７は上方が切り欠かれた半リング状であって可撓性を有する。
また、基台１６における係合部１８を除いた部分には、管状ランプ７の長手方向と直交する方向に延在して液晶パネル２方向に向かって傾いた傾斜面１９を形成する。傾斜面１９は図７で示すように断面が三角形をなしている。そして、反射板６上に配置されている。なお反射体９は、隣り合う管状ランプ７の略中間位置において、管状ランプ７と平行に延設された断面三角形状の白色の樹脂からなるものである。
ここで、このランプホルダ１５のように、一つのホルダで複数の管状ランプ７を支持するものは、管状ランプ７を安定支持する上で非常に好ましい。特に大型の液晶表示装置になればなるほど、管状ランプ７が長くなり、その重量も必然的に増大する。このような場合に把持部１７が１つだけのランプホルダ１５では管状ランプ７が不安定になり易い。またそれを防ごうとすると、ランプホルダ１５の把持部１７を太くする等の対策が必要となる。しかし複数の把持部１７を有するランプホルダ１５により、隣接する管状ランプ７を複数支持していくことは、基台１１による一体性等と相まって非常に安定した保持が可能となる。また当然にランプホルダ１５自体の使用する個数も減るので、取り付け作業の削減およびコストの削減等にも寄与する。
図５においてランプホルダ１５による管状ランプ７の支持状態を拡大して示すが、ランプホルダ１５は基台１６が管状ランプ７の長手方向に直交する方向に延在され、その中間の係合部１８において反射体９に係合されて反射板６上に配置される。そして、夫々の半リング状の把持部１７に管状ランプ７を挿入すると、把持部１７が管状ランプ７を把持して支持することになる。
次に、本発明の実施の形態の一例における構成の液晶表示装置の動作について説明する。
液晶表示用照明装置１４は、複数の管状ランプ７が枠体に互いに平行に取り付けられた状態でランプホルダ１５によって反射板６上に支持されて形成される。管状ランプ７が点灯されると、その光は反射板６によって反射され、管状ランプ７の上方に配置されている液晶パネル２の背面に向かって照射される。同時に、管状ランプ７間には反射体９が設けられているため、管状ランプ７の光はこの部分で反射され、液晶パネル２の裏面を照射するため、特定の部分の輝度が低下して輝度ムラを生じることがない。
更に、ランプホルダ１５から基台１６部分に向かう光は、ランプを把持する把持部１７により若干光量が低下するが、把持部１７の両サイドからの管状ランプの光が基台１６の上面にある傾斜面１９によって液晶パネル２の背面に向かって照射される。そのため、液晶パネル２上には特定の部分で光量が低下することなく、基台１６の影が観察されることはない。
例えば、図４、図５で示すように直径Ｒが４ｍｍの管状ランプを用いた場合について、次のような数値で行った。直径Ｒが４ｍｍの管状ランプ７を、距離Ｌが３４ｍｍの間隔をおいて平行に配置し、係合部１８における基台１６の底面から頂点までの高さＨ１が６ｍｍであり、基台１６における底面から傾斜面１９の頂点までの高さＨ２を２ｍｍとし、基台１６の底面の幅Ｗを４ｍｍとした値であった。ここで、図７で示すように傾斜面１９が形成する三角形の頂点側の内角Φは９０度となる。
上記の値の形状、寸法のランプホルダ１５を適用した照明装置１４は、液晶パネル２を背面から照明して使用した場合に液晶パネル２の表面にランプホルダ１５による陰影が映し出されなかった。また、ランプホルダ１５として本来の管状ランプ７の支持は強度的に満足するものであった。
上述したように本発明の実施の形態の一例における照明装置１４によれば、管状ランプ７を点灯するとその光は反射板６で反射して液晶パネル２を背面から効果的に照射するが、同時にランプホルダ１５の基台１６上の傾斜面１９においても液晶パネル２に向けて反射する。そのため、基台１６は液晶パネル２の表面に影として映し出されることがない。
従って、照明装置１４を適用した液晶表示装置１は品質の良好なものとなる。また、ランプホルダ１５は隣接した管状ランプ７を同時にインラインで支持するものであっても表示パネル２上には基台１６の影が映し出されることがない。これは実際に管状ランプ７を点灯させ、観察した結果によるものである。
なお、上記のような本発明の構成に加えて、ランプホルダ１５を互いに接近しないように千鳥上に配置する特許文献１の構成を併用することも可能である。
【発明の効果】
以上説明したように、本発明の液晶表示装置によれば、ランプホルダは、その基台上に設けた傾斜面が管状ランプから基台に照射される照射光を液晶パネル方向に反射させるので、液晶パネル側から見て前記基台の影が生じることがなく、簡単な構成で液晶パネル面の全体にわたって輝度の低下部分がなく、表示品質の良好な液晶表示装置を提供できる。
【図面の簡単な説明】
【図１】本発明の実施の形態の一例が適用された液晶表示装置において液晶パネルと拡散板を取り除いた状態における平面図である。
【図２】本発明の実施の形態の一例が適用された液晶表示装置の一部の縦断面図である。
【図３】図１、図２におけるランプホルダを拡大して示した斜視図である。
【図４】同じく図１、図２におけるランプホルダを拡大して示した平面図である。
【図５】同じく図１、図２におけるランプホルダを拡大して示した正面図である。
【図６】同じく図１、図２におけるランプホルダによる管状ランプの支持状態を部分的に拡大して示した斜視図である。
【図７】図６における基台部分をＢ−Ｂ線で切断した断面図である。
【図８】従来の液晶表示装置において液晶パネルと拡散板を取り除いた状態における平面図である。
【図９】従来の液晶装置の一部の縦断面図である。
【図１０】図８、図９におけるランプホルダを拡大して示した斜視図である。
【図１１】図８、図９におけるランプホルダによる管状ランプの支持状態を部分的に拡大して示した斜視図である。
【図１２】図１１における基台部分をＡ−Ａ線で切断した断面図である。
【符号の説明】
１        液晶表示装置
２        液晶パネル
３        拡散板
５        枠体
６        反射板
７        管状ランプ
９        反射体
１４      照明装置
１５      導光板
１６      基台
１７      把持部
１８      係合部
１９      傾斜面
【図１】
2005017691.tif 000003
【図２】
2005017691.tif 000004
【図３】
2005017691.tif 000005
【図４】
2005017691.tif 000006
【図５】
2005017691.tif 000007
【図６】
2005017691.tif 000008
【図７】
2005017691.tif 000009
【図８】
2005017691.tif 000010
【図９】
2005017691.tif 000011
【図１０】
2005017691.tif 000012
【図１１】
2005017691.tif 000013
【図１２】
2005017691.tif 000014